(57)【要約】【課題】簡単な構造で照明光の出射方向を容易に変えることができる線状照明装置を提供する。【解決手段】ＬＥＤ等により形成された光を発光する第１の発光部１２２と、第１の発光部１２２に近接する位置に第１の入射端部１２１ｄを有し、第１の入射端部１２１ｄを一端とする線状に形成されており、第１の入射端部１２１ｄが移動することなく第１の発光部１２２に対して相対的に回転可能に支持され円柱形状に形成された第１の導光部導光部とを備える線状照明装置１００とする。【選択図】図８
2011096592.tif 000002
【特許請求の範囲】
【請求項１】
光を発光する発光部と、
前記発光部に近接する位置に端部を有し、前記端部を一端とする線状に形成されており、前記端部が移動することなく前記発光部に対して相対的に回転可能に支持された導光部と、
を備える線状照明装置。
【請求項２】
請求項１に記載の線状照明装置において、
前記導光部は、円柱形状に形成されており、その円柱形状を規定する円の中心を回転の中心として前記発光部に対して相対的に回転可能に支持されていること、
を特徴とする線状照明装置。
【請求項３】
請求項１又は請求項２に記載の線状照明装置において、
前記導光部は、線状に形成されている方向に沿って延在する拡散部を有すること、
を特徴とする線状照明装置。
【請求項４】
請求項１から請求項３までのいずれか１項に記載の線状照明装置において、
少なくとも前記導光部の外周を覆うように配置され、前記導光部から出射する光を透過する保護カバーを備えること、
を特徴とする線状照明装置。
【請求項５】
請求項４に記載の線状照明装置において、
前記保護カバーは、前記導光部とともに回転可能に支持されていること、
を特徴とする線状照明装置。
【請求項６】
請求項４に記載の線状照明装置において、
前記保護カバーは、前記導光部とともに回転しないように固定されていること、
を特徴とする線状照明装置。
【請求項７】
請求項１から請求項６までのいずれか１項に記載の線状照明装置において、
前記導光部との位置が相対的に移動可能な状態で前記導光部の前記端部が挿入された支持部材と、
前記導光部の少なくとも一端側に配置され、前記支持部材の外形形状の少なくとも一部が直接又は間接的に係合して前記支持部材を固定する固定部を有する固定部材と、
を備え、
前記固定部材は、前記導光部の端部が突出する位置に前記支持部材を移動した状態では、前記導光部及び前記支持部材を着脱自在であり、かつ、前記導光部の前記端部よりも前記支持部材が突出する位置に前記支持部材を移動した状態では、前記固定部と前記支持部材とが係合する位置に配置されていること、
を特徴とする線状照明装置。
【発明の詳細な説明】
【技術分野】
【０００１】
本発明は、導光体により光を導いて線状に照明光を出射する線状照明装置に関するものである。
【背景技術】
【０００２】
ＬＥＤ（Light Emitting Diode：発光ダイオード）が照明光として利用されている。ＬＥＤは、低消費電力、長寿命、低発熱等、多くの利点を有している。ＬＥＤを照明光として利用する照明装置として、線状に光を放出する線状照明装置が知られている（例えば、特許文献１）。
【先行技術文献】
【特許文献】
【０００３】
【特許文献１】特開２００５−１４８５４号公報
【発明の概要】
【発明が解決しようとする課題】
【０００４】
しかし、特許文献１の装置では、棒状導光体の形状が円形、楕円形、多角形等の任意の形状とされている。したがって、棒状導光体は、ランプケースに対して光源とともに固定されており、出射する光の方向を変えるときには、光源とともに装置全体の向きを変える必要があった。この場合、光源に接続されている電気配線に自由度を持たせる等の工夫が必要であり、構造が複雑になったり、使い勝手が悪かったりした。
【０００５】
本発明の課題は、簡単な構造で照明光の出射方向を容易に変えることができる線状照明装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、光を発光する発光部（１２２，１３２，２２０）と、前記発光部に近接する位置に端部（１２１ｄ，１３１ｄ，２１１ｄ）を有し、前記端部を一端とする線状に形成されており、前記端部が移動することなく前記発光部に対して相対的に回転可能に支持された導光部（１２１，１３１，２１１）とを備える線状照明装置（１００，２００）である。
【０００７】
請求項２の発明は、請求項１に記載の線状照明装置において、前記導光部（１２１，１３１，２１１）は、円柱形状に形成されており、その円柱形状を規定する円の中心を回転の中心として前記発光部に対して相対的に回転可能に支持されていることを特徴とする線状照明装置（１００，２００）である。
【０００８】
請求項３の発明は、請求項１又は請求項２に記載の線状照明装置において、前記導光部（１２１，１３１，２１１）は、線状に形成されている方向に沿って延在する拡散部（１２１ｃ，１３１ｃ）を有することを特徴とする線状照明装置（１００，２００）である。
【０００９】
請求項４の発明は、請求項１から請求項３までのいずれか１項に記載の線状照明装置において、少なくとも前記導光部（２１１）の外周を覆うように配置され、前記導光部から出射する光を透過する保護カバー（２３０）を備えることを特徴とする線状照明装置（２００）である。
【００１０】
請求項５の発明は、請求項４に記載の線状照明装置において、前記保護カバーは、前記導光部とともに回転可能に支持されていることを特徴とする線状照明装置である。
【００１１】
請求項６の発明は、請求項４に記載の線状照明装置において、前記保護カバー（２３０）は、前記導光部とともに回転しないように固定されていることを特徴とする線状照明装置（２００）である。
【００１２】
請求項７の発明は、請求項１から請求項６までのいずれか１項に記載の線状照明装置において、前記導光部（１２１，１３１）との位置が相対的に移動可能な状態で前記導光部の前記端部（１２１ｄ，１３１ｄ）が挿入された支持部材（１６０）と、前記導光部の少なくとも一端側に配置され、前記支持部材の外形形状の少なくとも一部が直接又は間接的に係合して前記支持部材を固定する固定部（１５０ａ，３５０ａ）を有する固定部材（１５０，３５０）とを備え、前記固定部材は、前記導光部の端部が突出する位置に前記支持部材を移動した状態では、前記導光部及び前記支持部材を着脱自在であり、かつ、前記導光部の前記端部よりも前記支持部材が突出する位置に前記支持部材を移動した状態では、前記固定部と前記支持部材とが係合する位置に配置されていることを特徴とする線状照明装置（１００）である。
【発明の効果】
【００１３】
本発明によれば、以下の効果を奏することができる。
【００１４】
（１）本発明の線状照明装置は、光を発光する発光部と、発光部に近接する位置に端部を有し、端部を一端とする線状に形成されており、端部が移動することなく発光部に対して相対的に回転可能に支持された導光部とを備える。したがって、本発明の線状照明装置は、簡単な構造で照明光の出射方向を容易に変えることができる。
【００１５】
（２）本発明の線状照明装置の導光部は、円柱形状に形成されており、その円柱形状を規定する円の中心を回転の中心として発光部に対して相対的に回転可能に支持されている。したがって、本発明の線状照明装置は、新たな回転機構を設けることなく導光部を回転可能に支持できる。
【００１６】
（３）本発明の線状照明装置の導光部は、線状に形成されている方向に沿って延在する拡散部を有する。したがって、本発明の線状照明装置は、指向性の高い照射範囲を有し、導光部を回転させることにより変更した照射範囲をより明るく照明できる。
【００１７】
（４）本発明の線状照明装置の導光部は、少なくとも導光部の外周を覆うように配置され、導光部から出射する光を透過する保護カバーを備える。したがって、本発明の線状照明装置は、導光部を外部からの汚染等から保護することができる。
【００１８】
（５）本発明の線状照明装置の保護カバーは、導光部とともに回転可能に支持されている。したがって、本発明の線状照明装置は、保護カバーの光が通過しない領域を透明にする必要がなく、より自由に構成することができる。
【００１９】
（６）本発明の線状照明装置の保護カバーは、導光部とともに回転しないように固定されている。したがって、本発明の線状照明装置は、保護カバーの取り付け構造を簡単にすることができる。
【００２０】
（７）本発明の線状照明装置は、導光部との位置が相対的に移動可能な状態で導光部の端部が挿入された支持部材と、導光部の少なくとも一端側に配置され、支持部材の外形形状の少なくとも一部が直接又は間接的に係合して支持部材を固定する固定部を有する固定部材とを備え、固定部材は、導光部の端部が突出する位置に支持部材を移動した状態では、導光部及び支持部材を着脱自在であり、かつ、導光部の端部よりも支持部材が突出する位置に支持部材を移動した状態では、固定部と支持部材とが係合する位置に配置されている。したがって、本発明の線状照明装置は、導光部を回転可能にしながら、導光部の交換を容易に行える。導光部を交換可能とすることにより、例えば、拡散部の形態を変更して照射範囲を広げたり、狭めたりといった切換が可能となる。
【図面の簡単な説明】
【００２１】
【図１】本発明による線状照明装置の第１実施形態を示す斜視図である。
【図２】発光本体１１０を示す斜視図である。
【図３】発光本体１１０を一部透視して示す側面図である。
【図４】第１の発光ユニット１２０と第１の発光部１２２とを示す断面図である。
【図５】固定部材１５０を示す斜視図である。
【図６】固定部材１５０を各種方向から示す図である。
【図７】固定部材１５０に発光本体１１０を固定する工程の第１段階を示す図である。
【図８】固定部材１５０に発光本体１１０を固定する工程の第２段階を示す図である。
【図９】固定部材１５０に発光本体１１０を固定する工程の第３段階を示す図である。
【図１０】固定部材１５０に発光本体１１０を固定した状態を示す図である。
【図１１】本発明による線状照明装置の第２実施形態を示す断面図である。
【図１２】発光本体２１０を示す側面図である。
【図１３】発光本体２１０と保護カバー２３０と支持部材２６０とを示す分解斜視図である。
【図１４】本発明による線状照明装置の第３実施形態における固定部材３５０を各種方向から示す図である。
【発明を実施するための形態】
【００２２】
以下、本発明を実施するための最良の形態について図面等を参照して説明する。
【００２３】
（第１実施形態）
図１は、本発明による線状照明装置の第１実施形態を示す斜視図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
第１実施形態の線状照明装置１００は、発光本体１１０と、ベース部１４０と、固定部材１５０とを備えている。
【００２４】
図２は、発光本体１１０を示す斜視図である。
図３は、発光本体１１０を一部透視して示す側面図である。
発光本体１１０は、第１の発光ユニット１２０と、第２の発光ユニット１３０とを備えている。
ここで、発光本体１１０の構成を詳しく説明する前に、第１の発光ユニット１２０と第１の発光部１２２の構成を先に説明する。
【００２５】
図４は、第１の発光ユニット１２０と第１の発光部１２２とを示す断面図である。図４（ａ）は、第１の発光ユニット１２０を軸線に沿って切断した断面図であり、図４（ｂ）は、図４（ａ）中に示した矢印ＡＡで切断した断面図である。なお、第２の発光ユニット１３０は、第１の発光ユニット１２０と同一の形態をしているので、図４中には、第２の発光ユニット１３０の符号を括弧内に併記している。
第１の発光ユニット１２０は、第１の導光部１２１と、第１の反射部１２３とを備えている。
【００２６】
第１の導光部１２１は、コア１２１ａと、クラッド１２１ｂと、拡散部１２１ｃとを有している導光体である。また、以下の説明では、図４中で第１の導光部１２１の右側の端部、すなわち、第１の発光部１２２が設けられている側の端部を第１の入射端部１２１ｄと呼ぶ。また、図４中で第１の導光部１２１の左側の端部、すなわち、第１の反射部１２３が設けられている側の端部を第１の反射端部１２１ｅと呼ぶ。
【００２７】
コア１２１ａは、略円柱状に形成されている。コア１２１ａには、例えば、アクリル系樹脂のように光透過性の高い透明樹脂材料等が用いられる。
【００２８】
クラッド１２１ｂは、コア１２１ａの円筒外周面を覆うように形成されている。クラッド１２１ｂは、コア１２１ａと比べて相対的に屈折率の低い透明樹脂材料、例えば、アクリル系樹脂が用いられる。コア１２１ａとクラッド１２１ｂとの間の境界面では、後述の第１の発光部１２２から第１の入射端部１２１ｄへ入射した光を全反射する。これにより、光は、コア１２１ａ内を第１の反射端部１２１ｅ方向へ伝わる。同様に、後述の第１の反射部１２３により反射した光は、コア１２１ａとクラッド１２１ｂとの間の境界面で全反射して第１の入射端部１２１ｄ方向へ伝わる。
【００２９】
拡散部１２１ｃは、コア１２１ａとクラッド１２１ｂとの間に設けられており、所定の幅を保って第１の導光部１２１の軸線に沿った方向に延在している。拡散部１２１ｃは、例えば、白色の塗料や樹脂により形成されており、第１の導光部１２１中を伝わる光の一部を拡散反射する。拡散部１２１ｃにより拡散反射した光の一部は、コア１２１ａとクラッド１２１ｂとの間の境界面で全反射条件を満たさずに、第１の導光部１２１から出射する。
【００３０】
第１の発光部１２２は、第１の入射端部１２１ｄに対して光を入射可能な位置に配置されている。ただし、第１の発光部１２２は、第１の入射端部１２１ｄに対して接合されておらず、ごく僅かな隙間を持って配置されているか、又は、単に接触した状態で配置されている。第１の発光部１２２は、発光素子１２２ａを備えている。
発光素子１２２ａは、照明光を発光する光源であって、本実施形態では、ＬＥＤ（Light Emitting Diode：発光ダイオード）を用いている。なお、発光素子１２２ａは、ＬＥＤに限らず、電球や蛍光灯やＨＩＤランプ（High Intensity Discharge lamp）等、他の種類の光源を用いてもよい。第１の発光部１２２が発光する光は、第１の入射端部１２１ｄから第１の導光部１２１内に入射する。
【００３１】
第１の反射部１２３は、第１の反射端部１２１ｅに対して接合、又は、塗布されている。第１の反射部１２３は、第１の入射端部１２１ｄ方向から到達する光を反射して第１の入射端部１２１ｄ方向へ戻す。なお、第１の反射部１２３は、光を正規反射するものでもよいし、拡散反射するものであってもよい。本実施形態の第１の反射部１２３は、その厚さが１００μｍ程度のＰＥＴｆｉｌｍに銀蒸着をして、表面をカバーコートして形成されている。
【００３２】
また、上述したように、第２の発光ユニット１３０は、第１の発光ユニット１２０と同一の形態をしている。すなわち、第２の発光ユニット１３０は、第２の導光部１３１と、第２の反射部１３３とを備えている。
【００３３】
第２の導光部１３１は、コア１３１ａと、クラッド１３１ｂと、拡散部１３１ｃとを有している導光体である。また、以下の説明では、図４中で第２の導光部１３１の右側の端部、すなわち、第２の発光部１３２が設けられている側の端部を第２の入射端部１３１ｄと呼ぶ。また、図４中で第２の導光部１３１の左側の端部、すなわち、第２の反射部１３３が設けられている側の端部を第２の反射端部１３１ｅと呼ぶ。
【００３４】
コア１３１ａは、略円柱状に形成されている。コア１３１ａには、例えば、アクリル樹脂のように光透過性の高い透明樹脂材料等が用いられる。
【００３５】
クラッド１３１ｂは、コア１３１ａの円筒外周面を覆うように形成されている。クラッド１３１ｂは、コア１３１ａと比べて相対的に屈折率の低い透明材料が用いられる。コア１３１ａとクラッド１３１ｂとの間の境界面では、後述の第２の発光部１３２から第２の入射端部１３１ｄへ入射した光を全反射する。これにより、光は、コア１３１ａ内を第２の反射端部１３１ｅ方向へ伝わる。同様に、後述の第２の反射部１３３により反射した光は、コア１３１ａとクラッド１３１ｂとの間の境界面で全反射して第２の入射端部１３１ｄ方向へ伝わる。
【００３６】
拡散部１３１ｃは、第２の導光部１３１の軸線に沿った方向に所定の幅を保って、コア１３１ａとクラッド１３１ｂとの間に延在している。拡散部１３１ｃは、例えば、白色の塗料や樹脂により形成されており、第２の導光部１３１中を伝わる光の一部を拡散反射する。拡散部１３１ｃにより拡散反射した光の一部は、コア１３１ａとクラッド１３１ｂとの間の境界面で全反射条件を満たさずに、第２の導光部１３１から出射する。
【００３７】
第２の発光部１３２は、第２の入射端部１３１ｄに対して光を入射可能な位置に配置されている。ただし、第２の発光部１３２は、第２の入射端部１３１ｄに対して接合されておらず、ごく僅かな隙間を持って配置されているか、又は、単に接触した状態で配置されている。第２の発光部１３２は、発光素子１３２ａを備えている。
発光素子１３２ａは、照明光を発光する光源であって、本実施形態では、ＬＥＤを用いている。なお、発光素子１３２ａは、ＬＥＤに限らず、電球や蛍光灯やＨＩＤランプ等、他の種類の光源を用いてもよい。第２の発光部１３２が発光する光は、第２の入射端部１３１ｄから第２の導光部１３１内に入射する。
【００３８】
第２の反射部１３３は、第２の反射端部１３１ｅに対して接合、又は、塗布されて形成された反射材である。第２の反射部１３３は、第２の入射端部１３１ｄ方向から到達する光を反射して第２の入射端部１３１ｄ方向へ戻す。なお、第２の反射部１３３は、光を正規反射するものでもよいし、拡散反射するものであってもよい。本実施形態の第２の反射部１３３は、その厚さが１００μｍ程度のＰＥＴｆｉｌｍに銀蒸着をして、表面をカバーコートして形成されている。
【００３９】
図２及び図３に戻って、第１の発光ユニット１２０と第２の発光ユニット１３０とは、第１の反射部１２３と第２の反射部１３３とを接合することにより、接合されている。具体的には、アクリル系の接着剤を用いて第１の反射部１２３と第２の反射部１３３とを接合している。第１の反射部１２３と第２の反射部１３３との接合の用いる接着剤は、アクリル系に限らず、例えば、エポキシ系の接着剤や、シリコン系の接着剤等、他の種類の接着剤を用いてもよい。
【００４０】
本実施形態では、上述したように、同一形態の第１の発光ユニット１２０と第２の発光ユニット１３０とを、第１の反射部１２３と第２の反射部１３３とを接合することにより接合している。したがって、光のムラをより少なくしながら、光の利用効率が高く長い照明を実現することができる。すなわち、本実施形態では、第１の発光ユニット１２０及び第２の発光ユニット１３０のいずれも一端にはそれぞれ第１の反射部１２３及び第２の反射部１３３を備えている。よって、第１の入射端部１２１ｄ及び第２の入射端部１３１ｄから入射して徐々に暗くなっていく光が、第１の反射部１２３及び第２の反射部１３３で反射して戻されることで、反射して戻る光が減少した光に加えられる。よって、本実施形態の線状照明装置１００は、長い発光ユニットであっても、光の利用効率が高く、入射端部から離れた位置での明るさの減少が少なくなり、光のムラを目立たなくできる。
【００４１】
また、長さが短いことにより製造が容易な第１の発光ユニット１２０と第２の発光ユニット１３０とを用いながら、長さの長い線状照明装置１００を実現できる。さらに、第１の反射部１２３及び第２の反射部１３３は、上述したようにその厚さが薄いので、これらを接合した部分が目立たず、あたかも、１つの発光体であるかのように見せることができる。さらにまた、第１の発光ユニット１２０と第２の発光ユニット１３０とを、一体に接合して発光本体１１０を形成しているので、ケース等に固定されていない状態であっても、そのまま取り扱い、使用できる。
【００４２】
図１に戻って、ベース部１４０は、線状照明装置１００の土台となる部材であり、発光本体１１０に沿って、発光本体１１０と略等しい長さで延在している。ベース部１４０の長手方向の両端には、固定部材１５０が設けられている。
【００４３】
固定部材１５０は、ベース部１４０の長手方向の両端に固定されおり、発光本体１１０を固定する部材である。また、固定部材１５０の一方には、第１の発光部１２２が固定され、他方には、第２の発光部１３２が固定されている。
【００４４】
図５は、固定部材１５０を示す斜視図である。
図６は、固定部材１５０を各種方向から示す図である。図６（ａ）は、上面図であり、図６（ｂ）は、正面図であり、図６（ｃ）は、側面図であり、図６（ｄ）は、図６（ｂ）中に矢印で示したＢＢ断面である。ここで、上面、正面、側面等の言葉は、図６における各図の構成を表しているに過ぎず、線状照明装置１００の使用形態等を限定するものではない。
固定部材１５０は、固定穴部１５０ａと、挿入切り欠き部１５０ｂと、固定穴補助部１５０ｃと、接続部１５０ｄとを備えている。
固定穴部１５０ａは、後述する支持部材１６０の外径ｄ３（図７参照）が嵌合することにより支持部材１６０を固定する固定部として機能する内径ｄ４の穴形状である。この固定穴部１５０ａは、非貫通である。また、この固定穴部１５０ａに第１の発光部１２２又は第２の発光部１３２が固定されている。
挿入切り欠き部１５０ｂは、幅ｄ５が発光本体１１０（第１の発光ユニット１２０）の外径ｄ１（図７参照）が通過可能、かつ、後述する支持部材１６０の外径ｄ３が通過不可能な切り欠き形状である。すなわち、ｄ１＜ｄ５＜ｄ３となっている。また、挿入切り欠き部１５０ｂは、切り欠かれている深さが、固定穴部１５０ａの深さよりも浅くなるように形成されている。挿入切り欠き部１５０ｂは、固定穴補助部１５０ｃが設けられていない方向（図６（ｂ）中の上方向）に形成されている。
【００４５】
固定穴補助部１５０ｃは、固定穴部１５０ａを中心として、挿入切り欠き部１５０ｂと対向する位置に突出して設けられている。この固定穴補助部１５０ｃは、固定穴部１５０ａの穴形状と同じ内径ｄ４となるように形成された面を備えており、固定穴部１５０ａとともに支持部材１６０の外径ｄ３が嵌合するようになっている。なお、固定穴補助部１５０ｃを設けずに、固定穴部１５０ａをこの領域まで連続して形成してもよい。
接続部１５０ｄは、ベース部１４０を接続するための形状である。
【００４６】
次に、図７から図１０を用いて、固定部材１５０に発光本体１１０（第１の発光ユニット１２０）を固定する方法を説明する。なお、図７から図１０では、ベース部１４０を省略して示している。
図７は、固定部材１５０に発光本体１１０を固定する工程の第１段階を示す図である。
本実施形態の線状照明装置１００は、固定部材１５０に発光本体１１０を固定するために支持部材１６０を用いる。
支持部材１６０は、円環状に形成されており、内径側に複数箇所の支持突起部１６１を有している。本実施形態では、支持突起部１６１は、円周方向において等角度間隔で６箇所設けられている。支持突起部１６１の頂点を結ぶ内径は、φｄ２の円筒面となっている。この内径φｄ２は、発光本体１１０の外径φｄ１を最小限のガタ（隙間）で、かつ、位置不定とならない程度に嵌合する寸法に形成されている。また、支持部材１６０の外周は、外径φｄ３の円筒面となっている。この外径φｄ３は、固定穴部１５０ａの内径ｄ４に対して最小限のガタで、かつ、位置不定とならない程度に嵌合する寸法に形成されている。
【００４７】
固定部材１５０に発光本体１１０を固定するときには、まず、支持部材１６０に発光本体１１０が挿入されるように、支持部材１６０を装着する（図７中の矢印Ｓ１）。本実施形態では、発光本体１１０の両方の端部を、それぞれ支持部材１６０に挿入する。
【００４８】
図８は、固定部材１５０に発光本体１１０を固定する工程の第２段階を示す図である。
支持部材１６０に発光本体１１０を挿入すると、図８に示すような状態となる。このとき、支持部材１６０は、第１の入射端部１２１ｄよりも発光本体の中央よりに配置する。これにより、発光本体１１０の端部が突出する位置に支持部材１６０が移動した状態となる。こうすることにより、第１の入射端部１２１ｄが挿入切り欠き部１５０ｂを通過することができる。すなわち、この状態では、発光本体１１０及び支持部材１６０を固定部材１５０に対して着脱自在となっている。支持部材１６０が取り付けられた発光本体１１０は、挿入切り欠き部１５０ｂを通過させて固定部材１５０に挿入される（図８中の矢印Ｓ２）。
【００４９】
図９は、固定部材１５０に発光本体１１０を固定する工程の第３段階を示す図である。
支持部材１６０が取り付けられた発光本体１１０を固定部材１５０に挿入すると図９に示す状態となる。この状態では、発光本体１１０は、固定部材１５０に対して固定されておらず、簡単に外れてしまう状態である。この図９に示す状態から、支持部材１６０を図９中の矢印Ｓ３方向に移動させて、支持部材１６０を固定穴部１５０ａに挿入して、固定部材１５０に発光本体１１０を固定する。
【００５０】
図１０は、固定部材１５０に発光本体１１０を固定した状態を示す図である。
図１０に示した固定部材１５０に発光本体１１０を固定した状態では、支持部材１６０は、一部が固定穴部１５０ａに挿入された状態となり、かつ、残る一部には発光本体１１０が挿入された状態となっている。これにより、発光本体１１０は、固定部材１５０から外れないように固定される。すなわち、発光本体１１０の端部よりも支持部材１６０が突出する位置に支持部材１６０を移動した状態では、固定穴部１５０ａと支持部材１６０とが係合する。また、この固定部材１５０に発光本体１１０を固定した状態であっても、発光本体１１０（第１の導光部１２１及び第２の導光部１３１）は、その軸線を中心とした方向（図１０中の矢印Ｓ４方向）で固定部材１５０に対して、回転可能となっている。したがって、発光本体１１０から出射する照明光の照射方向を任意の方向に変更することができる。
また、発光本体１１０（第１の導光部１２１及び第２の導光部１３１）は、第１の発光部１２２及び第２の発光部１３２には接合されておらず、これらに対して相対的に回転可能である。したがって、発光本体１１０（第１の導光部１２１及び第２の導光部１３１）が回転しても、第１の発光部１２２及び第２の発光部１３２に対して電力を供給する不図示の配線部に負荷が掛かったり、配線部を移動可能にしたりする必要がない。よって、簡単な構成とすることができるとともに、装置の耐久性が高くなり、信頼性を向上できる。
【００５１】
以上説明したように、本実施形態によれば、線状照明装置１００は、支持部材１６０を用いて固定部材１５０に発光本体１１０を設ける形態としたことにより、発光本体１１０を第１の発光部１２２及び第２の発光部１３２に対して相対的に回転可能な状態で支持した。また、発光本体１１０が円柱形状に形成されており、その円柱形状を規定する円の中心を回転中心として発光本体１１０が回転することにより、線状照明装置１００は、特別な回転機構を不要としている。さらに、線状照明装置１００は、装置全体を固定した状態であっても、発光本体１１０を回転することにより照明光の照射方向を変更できる。よって、第１の発光部１２２及び第２の発光部１３２を回転することなく、かつ、第１の入射端部１２１ｄ，第２の入射端部１３１ｄを移動することなく発光本体１１０を回転させることができ、簡単な構成であっても、照明光の照射方向を容易に変更できる。
【００５２】
（第２実施形態）
図１１は、本発明による線状照明装置の第２実施形態を示す断面図である。
第２実施形態の線状照明装置２００は、発光本体２１０と、発光部２２０と、保護カバー２３０と、ベース部２４０と、第１の固定部材２５１と、第２の固定部材２５２と、つまみ２５３と、Ｏリング２５４，２５５と、支持部材２６０とを備えている。
【００５３】
発光本体２１０は、導光部２１１と、反射部２１３とを備えている。
図１２は、発光本体２１０を示す側面図である。
導光部２１１は、第１実施形態における第１の導光部１２１及び第２の導光部１３１と同様な形態をした導光体である。なお、反射部２１３が設けられている側の端部を反射端部２１１ｅと呼び、反射部２１３が設けられていない側の端部を入射端部２１１ｄと呼ぶ。
反射部２１３は、第１実施形態における第１の反射部１２３及び第２の反射部１３３と同様な形態をした反射材により形成されている。
第１実施形態の発光本体１１０は、２つの発光ユニット（第１の発光ユニット１２０と、第２の発光ユニット１３０）を接合したものであった。これに対して、第２実施形態の発光本体２１０は、１つの発光ユニットのみ、すなわち、１つの導光部２１１と、１つの反射部２１３のみを備えた形態となっている。
【００５４】
図１１に戻って、発光部２２０は、入射端部２１１ｄに対して光を入射可能な位置に配置されている。発光部２２０は、入射端部２１１ｄに接触せずに僅かに間隔を開けて近接した位置となるように、第１の固定部材２５１に固定されている。
第２実施形態の発光部２２０は、上述した以外の部分については、第１実施形態における第１の発光部１２２及び第２の発光部１３２と同様な形態をしている。
【００５５】
保護カバー２３０は、発光本体２１０の外径よりも大きな内径を有する円筒形状の透明部材である。保護カバー２３０は、発光本体２１０よりも若干長く形成されており、その内部に発光本体２１０が挿入されており、発光本体２１０の外周を覆うようになっている。保護カバー２３０は、光の透過性が高いことが望ましい。また、使用条件によっては、保護カバー２３０は、耐油性と、耐溶剤性と、耐薬品性とが高いことが望ましい。さらに、破損時の危険性を低減するためには、ガラス素材を用いずに、樹脂製であることが望ましい。
【００５６】
ベース部２４０は、線状照明装置２００の土台となる部材であり、発光本体２１０に沿って、発光本体２１０よりも若干長い長さで延在している。ベース部２４０の長手方向の両端には、第１の固定部材２５１と第２の固定部材２５２とが設けられている。
【００５７】
第１の固定部材２５１は、入射端部２１１ｄ側に設けられており、発光部２２０を固定している。第１の固定部材２５１は、保護カバー２３０を挿入可能なように、内径が保護カバー２３０の外径よりも若干大きい円形に開口した開口部２５１ａを有している。
【００５８】
第２の固定部材２５２は、反射端部２１１ｅ側に設けられている。第２の固定部材２５２には、保護カバー２３０を挿入可能なように、内径が保護カバー２３０の外径よりも若干大きい円形に開口した開口部２５２ａが設けられている。また、第２の固定部材２５２には、後述のつまみ２５３の軸部２５３ａが挿入される円形の貫通孔２５２ｂが設けられている。
【００５９】
つまみ２５３は、軸部２５３ａとつまみ部２５３ｂとを有している。
軸部２５３ａは、略円柱形状をしており、第２の固定部材２５２の貫通孔２５２ｂに挿入されている。また、軸部２５３ａのつまみ部２５３ｂとは反対側の先端は、発光本体２１０の反射部２１３に対して接着固定されている。
つまみ部２５３ｂは、軸部２５３ａよりも外径が大きな円柱形状に形成されている。つまみ部２５３ｂは、第２の固定部材２５２の外側に突出しており、線状照明装置２００の使用者が操作することができる。
なお、本実施形態では、軸部２５３ａの一端が、反射部２１３に対して接着固定されている例を示したが、これに限らず、例えば、多角形等の任意の係合形状を双方に形成して、これらを着脱可能に結合させてもよい。
【００６０】
Ｏリング２５４，２５５は、シール用のＯリングである。Ｏリング２５４は、第１の固定部材２５１と保護カバー２３０との間、及び、第２の固定部材２５２と保護カバー２３０との間に設けられている。Ｏリング２５５は、第１の固定部材２５１とつまみ２５３の軸部２５３ａとの間に設けられている。なお、図１１では図示していないが、第１の固定部材２５１と第２の固定部材２５２とつまみ２５３の軸部２５３ａとには、Ｏリング２５４，２５５を装着するための溝が形成されている。
【００６１】
支持部材２６０は、円環状に形成されており、内径側に複数箇所の支持突起部２６１を有している。支持部材２６０は、発光本体２１０の反射端部２１１ｅ側と入射端部２１１ｄ側の２箇所に配置されている。
図１３は、発光本体２１０と保護カバー２３０と支持部材２６０とを示す分解斜視図である。
本実施形態では、支持突起部２６１は、円周方向において等角度間隔で６箇所設けられている。支持部材２６０は、その内径側に発光本体２１０が挿入され、かつ、その外径側が保護カバー２３０に挿入される。支持突起部２６１の頂点を結ぶ内径は、φｄ２２の円筒面となっている。この内径φｄ２２は、発光本体２１０の外径φｄ２１を最小限のガタ（隙間）で、かつ、位置不定とならない程度に嵌合する寸法に形成されている。また、支持部材２６０の外周は、外径φｄ２３の円筒面となっている。この外径φｄ２３は、保護カバー２３０の内径ｄ２４に対して最小限のガタで、かつ、位置不定とならない程度に嵌合する寸法に形成されている。
【００６２】
以上の構成により、第２実施形態の線状照明装置２００は、つまみ部２５３ｂを回転操作することにより、保護カバー２３０内の発光本体２１０が自由に回転することができる。これにより、発光本体２１０から出射する光の照射方向を容易に変更できる。
また、第２実施形態の線状照明装置２００は、保護カバー２３０を有しているので、例えば工作機械の照明装置として用いるような場合に、切削油等から発光本体や発光部２２０等を保護できる。特に、第２実施形態の線状照明装置２００は、Ｏリング２５４，２５５を用いているので、より過酷な環境においても使用することができる。
さらに、第２実施形態の線状照明装置２００は、保護カバー２３０が固定されているので、保護カバーを回転可能とするよりも構造を簡単にできる。
【００６３】
（第３実施形態）
第３実施形態の線状照明装置は、第１実施形態の線状照明装置１００における固定部材１５０の形状を変更した形態である。よって、前述した第１実施形態と同様の機能を果たす部分には、同一の符号を付して、重複する説明を適宜省略する。
図１４は、本発明による線状照明装置の第３実施形態における固定部材３５０を各種方向から示す図である。図１４（ａ）は、上面図であり、図１４（ｂ）は、正面図であり、図１４（ｃ）は、側面図であり、図１４（ｄ）は、図１４（ｂ）中に矢印で示したＣＣ断面である。ここで、上面、正面、側面等の言葉は、図１４における各図の構成を表しているに過ぎず、線状照明装置２００の使用形態等を限定するものではない。
【００６４】
固定部材３５０は、固定穴部３５０ａと、挿入切り欠き部３５０ｂと、固定穴補助部３５０ｃと、接続部３５０ｄとを備えている。
固定穴部３５０ａは、支持部材１６０の外径ｄ３（図７参照）が嵌合することにより支持部材１６０を固定する固定部として機能する内径ｄ４の穴形状である。この固定穴部３５０ａは、非貫通である。また、この固定穴部３５０ａに第１の発光部１２２又は第２の発光部１３２が固定されている。
挿入切り欠き部３５０ｂは、幅ｄ５が発光本体１１０（第１の発光ユニット１２０）の外径ｄ１（図７参照）が通過可能、かつ、後述する支持部材１６０の外径ｄ３が通過不可能な切り欠き形状である。すなわち、ｄ１＜ｄ５＜ｄ３となっている。また、挿入切り欠き部３５０ｂは、切り欠かれている深さが、固定穴部３５０ａの深さよりも浅くなるように形成されている。
第３実施形態の挿入切り欠き部３５０ｂは、第１実施形態の挿入切り欠き部１５０ｂとはその切り欠かれている方向が異なっている。すなわち、挿入切り欠き部３５０ｂは、図６（ｂ）中の右方向に形成されている。
【００６５】
固定穴補助部３５０ｃは、固定穴部３５０ａを中心として、挿入切り欠き部３５０ｂと対向する位置に突出して設けられている。この固定穴補助部３５０ｃは、固定穴部３５０ａの穴形状と同じ内径ｄ４となるように形成された面を備えており、固定穴部３５０ａとともに支持部材１６０の外径ｄ３が嵌合するようになっている。なお、固定穴補助部３５０ｃを設けずに、固定穴部３５０ａをこの領域まで連続して形成してもよい。
接続部３５０ｄは、ベース部１４０を接続するための形状である。
【００６６】
以上説明したように、第３実施形態によれば、発光本体１１０の取り付け方向を変えることができる。
【００６７】
（変形形態）
以上説明した実施形態に限定されることなく、種々の変形や変更が可能であって、それらも本発明の範囲内である。
（１）各実施形態において、第１の導光部及び第２の導光部及び導光部は、コアの周囲にクラッドを有している例を挙げて説明した。しかし、これに限らず、例えば、線状照明装置は、クラッドを省略した簡易な形態としてもよい。
【００６８】
（２）各実施形態において、発光本体を回転可能な状態で指示する具体的な形態を挙げて説明を行った。これらに限らず、線状照明装置は、発光部に近接した端部が移動することなく導光部が回転可能と支持すればよく、どのような導光部の支持形態であってもよい。
【００６９】
（３）第２実施形態において、保護カバー２３０は、回転しない例を挙げて説明した。これに限らず、例えば、保護カバーは、導光体とともに回転する形態としてもよい。
【００７０】
（４）各実施形態において、導光部は、その一端には反射部を設け、他の一端から光を入射する例を挙げて説明した。これに限らず、例えば、線状照明装置は、導光部の両端から光を入射する形態であってもよい。
【００７１】
なお、第１実施形態〜第３実施形態及び変形形態は、適宜組み合わせて用いることもできるが、詳細な説明は省略する。また、本発明は以上説明した各実施形態によって限定されることはない。
【符号の説明】
【００７２】
１００    線状照明装置
１１０    発光本体
１２０    第１の発光ユニット
１２１    第１の導光部
１２１ａ  コア
１２１ｂ  クラッド
１２１ｃ  拡散部
１２１ｄ  第１の入射端部
１２１ｅ  第１の反射端部
１２２    第１の発光部
１２２ａ  発光素子
１２３    第１の反射部
１３０    第２の発光ユニット
１３１    第２の導光部
１３１ａ  コア
１３１ｂ  クラッド
１３１ｃ  拡散部
１３１ｄ  第２の入射端部
１３１ｅ  第２の反射端部
１３２    第２の発光部
１３２ａ  発光素子
１３３    第２の反射部
１４０    ベース部
１５０    固定部材
１５０ａ  固定穴部
１５０ｂ  挿入切り欠き部
１５０ｃ  固定穴補助部
１５０ｄ  接続部
１６０    支持部材
１６１    支持突起部
２００    線状照明装置
２１０    発光本体
２１１    導光部
２１１ｄ  入射端部
２１１ｅ  反射端部
２１３    反射部
２２０    発光部
２３０    保護カバー
２４０    ベース部
２５１    第１の固定部材
２５１ａ  開口部
２５２    第２の固定部材
２５２ａ  開口部
２５２ｂ  貫通孔
２５３    つまみ
２５３ａ  軸部
２５３ｂ  つまみ部
２５４    Ｏリング
２５５    Ｏリング
２６０    支持部材
２６１    支持突起部
３５０    固定部材
３５０ａ  固定穴部
３５０ｂ  挿入切り欠き部
３５０ｃ  固定穴補助部
３５０ｄ  接続部
【図１】
2011096592.tif 000003
【図２】
2011096592.tif 000004
【図３】
2011096592.tif 000005
【図４】
2011096592.tif 000006
【図５】
2011096592.tif 000007
【図６】
2011096592.tif 000008
【図７】
2011096592.tif 000009
【図８】
2011096592.tif 000010
【図９】
2011096592.tif 000011
【図１０】
2011096592.tif 000012
【図１１】
2011096592.tif 000013
【図１２】
2011096592.tif 000014
【図１３】
2011096592.tif 000015
【図１４】
2011096592.tif 000016